(57)【特許請求の範囲】
【請求項１】
記録媒体を再生するためのピックアップアセンブリ及びピックアップアセンブリ駆動用モータ等を含む再生メカと、該再生メカを制御する制御回路とを備える記録媒体再生装置において、
前記再生メカは、前記ピックアップアセンブリが所定位置および所定位置以外のいずれにあるかを検出するスイッチと、
当該記録媒体再生装置の状態を、パワーオフ状態と、記録媒体を再生可能なパワーオン状態との間で切り換える電源キースイッチとを有し、
前記制御回路は、前記パワーオフ状態のとき、前記スイッチにより前記ピックアップアセンブリが所定位置にあると検出される位置に、前記ピックアップアセンブリを移動制御し、前記パワーオン状態であるが当該記録媒体再生装置が前記記録媒体を再生していないとき、前記スイッチにより前記ピックアップアセンブリが所定位置以外にあると検出される位置に、前記ピックアップアセンブリを移動制御し、
前記ピックアップアセンブリが所定位置以外にある場合、前記パワーオン状態で電源供給が遮断されたと判別し、前記ピックアップアセンブリが所定位置にある場合、前記パワーオフ状態で電源供給が遮断されたと判別すること、
を特徴とする記録媒体再生装置。
【請求項２】
前記再生メカは、前記記録媒体の再生を開始する再生キースイッチを有し、
前記制御回路は、前記パワーオン状態において前記再生キースイッチにより前記記録媒体の再生が開始されていないときには、前記スイッチにより前記ピックアップアセンブリが所定位置以外にあると検出される位置に、前記ピックアップアセンブリを移動制御すること、
を特徴とする請求項１記載の記録媒体再生装置。
【請求項３】
前記再生メカは、前記記録媒体の再生を停止する停止キースイッチを有し、
前記制御回路は、前記パワーオン状態において前記停止キースイッチにより前記記録媒体の再生が停止されると、前記スイッチにより前記ピックアップアセンブリが所定位置以外にあると検出される位置に、前記ピックアップアセンブリを移動制御すること、
を特徴とする請求項１または請求項２記載の記録媒体再生装置。
【請求項４】
記録媒体を再生するためのピックアップアセンブリ、ピックアップアセンブリ駆動用モータ、および当該記録媒体再生装置の状態をパワーオフ状態と記録媒体を再生可能なパワーオン状態との間で切り換える電源キースイッチを含む再生メカと、該再生メカを制御する制御回路とを備える記録媒体再生装置が電源供給遮断時にパワーオフ状態であったかパワーオン状態であったかを判別する記録媒体再生装置のパワーオン／オフ状態判別方法であって、
前記パワーオフ状態では、前記ピックアップアセンブリを所定位置に停止させ、
前記パワーオン状態で前記記録媒体を再生していないときには、前記ピックアップアセンブリを前記所定位置以外の位置に配置させ、
電源供給遮断後に電源供給が再開された際に、前記ピックアセンブリの位置を検出し、
前記ピックアップアセンブリが所定位置以外にある場合、前記パワーオン状態で電源供給が遮断されたと判別し、前記ピックアップアセンブリが所定位置にある場合、前記パワーオフ状態で電源供給が遮断されたと判別すること、
を特徴とする記録媒体再生装置のパワーオン／オフ状態判別方法。
【発明の詳細な説明】
【０００１】
【発明の属する技術分野】
本発明は記録媒体再生装置に係り、特にその状態を判別する手段を備えた記録媒体再生装置および記録媒体再生装置のパワーオン／オフ状態判別方法に関する。
【０００２】
【従来の技術】
従来の記録媒体再生装置、例えばＣＤディスク再生装置は、図６に示されるように、光ピックアップアセンブリやピックアップアセンブリ駆動用モータ等を含むＣＤメカ１と、前記モータを制御する制御信号を供給するＣＤ制御回路２と、ＣＤ制御回路２の動作を制御するマイクロコンピュータ（以下マイコンという）３とからなるが、一般に、電源スイッチはストロークスイッチでなく、通常ＡＣ電源が入っている時はマイコンは通電されていて電源スイッチをサイクリックで他の回路へのパワーオン／オフを行なっている。
【０００３】
【発明が解決しようとする課題】
ところが、停電等でＡＣ電源供給が遮断されると、電源供給遮断前の再生装置のパワーオン／オフ状態がわからないので、従来は、バックアップ回路４として、マイコン３内の内部ＲＡＭ等を用いる方法の時はマイコン３の通電状態を保つためのコンデンサ、電池等の追加が必要となり、また外部ＲＡＭ（Ｅ２  ＰＲＯＭ等の通電されなくても内部情報を記憶している記憶素子）を用いる方法の時はその記憶素子と関連回路の追加が必要となり、コストが上がる問題があった。
【０００４】
本発明の目的は、上記従来装置の問題を解消してコストメリットのあるバックアップを行なうことができる記録媒体再生装置を提供することにある。
【０００５】
【課題を解決するための手段】
本発明に係る記録媒体再生装置は、記録媒体を再生するためのピックアップアセンブリ及びピックアップアセンブリ駆動用モータ等を含む再生メカと、該再生メカを制御する制御回路とを備える記録媒体再生装置であって、再生メカは、ピックアップアセンブリが所定位置および所定位置以外のいずれにあるかを検出するスイッチと、当該記録媒体再生装置の状態を、パワーオフ状態と、記録媒体を再生可能なパワーオン状態との間で切り換える電源キースイッチとを有する。そして、制御回路は、パワーオフ状態のとき、スイッチによりピックアップアセンブリが所定位置にあると検出される位置に、ピックアップアセンブリを移動制御し、パワーオン状態であるが当該記録媒体再生装置が記録媒体を再生していないとき、スイッチによりピックアップアセンブリが所定位置以外にあると検出される位置に、ピックアップアセンブリを移動制御する。そして、ピックアップアセンブリが所定位置以外にある場合、パワーオン状態で電源供給が遮断されたと判別し、ピックアップアセンブリが所定位置にある場合、パワーオフ状態で電源供給が遮断されたと判別する。
また、再生メカが、記録媒体の再生を開始する再生キースイッチを有し、制御回路が、パワーオン状態において再生キースイッチにより記録媒体の再生が開始されていないときには、スイッチによりピックアップアセンブリが所定位置以外にあると検出される位置に、ピックアップアセンブリを移動制御するようにしてもよい。
また、再生メカが、記録媒体の再生を停止する停止キースイッチを有し、制御回路が、パワーオン状態において停止キースイッチにより記録媒体の再生が停止されると、スイッチによりピックアップアセンブリが所定位置以外にあると検出される位置に、ピックアップアセンブリを移動制御するようにしてもよい。
【０００６】
本発明に係る記録媒体再生装置のパワーオン／オフ状態判別方法は、記録媒体を再生するためのピックアップアセンブリ、ピックアップアセンブリ駆動用モータ、および当該記録媒体再生装置の状態をパワーオフ状態と記録媒体を再生可能なパワーオン状態との間で切り換える電源キースイッチを含む再生メカと、該再生メカを制御する制御回路とを備える記録媒体再生装置が電源供給遮断時にパワーオフ状態であったかパワーオン状態であったかを判別する記録媒体再生装置のパワーオン／オフ状態判別方法であって、パワーオフ状態ではピックアップアセンブリを所定位置に停止させ、パワーオン状態で記録媒体を再生していないときにはピックアップアセンブリを所定位置以外の位置に配置させ、電源供給遮断後に電源供給が再開された際に、ピックアセンブリの位置を検出し、ピックアップアセンブリが所定位置以外にある場合、パワーオン状態で電源供給が遮断されたと判別し、ピックアップアセンブリが所定位置にある場合、パワーオフ状態で電源供給が遮断されたと判別する。
【０００７】
【作用】
記録媒体を再生するためのピックアップアセンブリ及びピックアップアセンブリ駆動用モータ等を含む再生メカと、該再生メカを制御する制御回路と、該制御回路の動作を制御するマイクロコンピュータとからなり、前記再生メカは前記記録媒体の所定位置を検出するためのスイッチを包含する記録媒体再生装置において、検出される前記スイッチの状態のオン／オフ状態に基づいて、電源供給の遮断時のパワーオン／オフ状態を判別し、電源再投入時に再生装置を電源供給の遮断前のパワーオン／オフ状態で立ち上げる。
記録媒体をＣＤディスクとすれば、スイッチはＣＤディスク再生装置に不可欠なＣＤディスク最内周位置検出用スイッチを利用してそのオン／オフ状態に基づいて再生装置を制御することができる。
【０００８】
【発明の実施の形態】
図１は本発明に係る記録媒体再生装置の一実施例のブロック図である。図１では、記録媒体再生装置として、図６の従来例と同様にＣＤディスク再生装置の構成、すなわち、ＣＤメカ１と、ＣＤ制御回路２と、マイコン３とからなるが、バックアップ用のバックアップ回路４が削除されている。
ＣＤメカ１は、図２に示すように、光ピックアップ１４を搭載したピックアップアセンブリ１３が、駆動用モータ（図示しない）によってディスクターンテーブル１１に載せられるＣＤディスク（図示しない）の内周から外周へガイドレ−ル１２をスライド移動できるような構造になっており、また、ピックアップアセンブリ１３には最内周位置（ＣＤディスクのＴＯＣデータ読み取り位置）を検出するためのスイッチＳＷ１が取り付けられている。
このスイッチＳＷ１は、ピックアップアセンブリ１３が最内周位置にある時オンになり、それ以外にある場合にはオフになる。また、スイッチＳＷ１は、ＣＤディスクのＴＯＣ情報を読み取るために必要不可欠なものであり、ＣＤメカ１には必ず付属している構成要素である。
【０００９】
本発明では、このスイッチＳＷ１を利用してパワーオン／オフ（マイコン３には常時電源は供給されていて他の回路部分へのパワーオン／オフ）状態を停電等による電源供給の遮断後、電源が再供給された時に図３に示すマイコンリセット処理内でスイッチＳＷ１の状態を読み込み、再生装置を電源遮断前の状態と同様の状態（パワーオン／オフ）で再生装置を立ち上げる。
【００１０】
図３乃至図５は、本発明を実施する際のマイコン３によるピックアップ位置制御の動作を説明するフローチャートの例である。
図３は電源投入時のマイコンリセット処理のフローチャートを示し、リセット処理が指示されると（ステップＳ１）、スイッチＳＷ１の状態（ピックアップの位置）を読み込み（Ｓ２）、スイッチＳＷ１がオン状態か否かを確認し（Ｓ３）、スイッチＳＷ１がオン状態（すなわち、ピックアップは最内周位置にある）ならば、前回の電源供給オフ時のパワー状態がオフであると認識してマイコン３の内部メモリに記憶し（Ｓ４）、パワーオフ状態（スタンバイ状態）で再生装置を立ち上げ（Ｓ５）、スイッチＳＷ１の状態がオフならば、前回の電源供給オフ時のパワー状態がオンであると認識してマイコン３の内部メモリに記憶し（Ｓ６）、パワーオン状態で再生装置を立ち上げる（Ｓ７）。
【００１１】
次に、図４は、電源供給状態で再生装置が動作停止している時電源キースイッチ入力によりパワーオン／オフした場合のピックアップの位置制御処理のフローチャート例であり、電源キースイッチがオンされたか否かを確認し（Ｓ１１）、オンならばステップＳ１２に進みオフならば再度ステップＳ１１を繰り返す。次いで、ステップＳ１２で現在がパワーオフか否かを確認し、オフであればパワーオン状態をメモリに記憶し（Ｓ１３）、ピックアップ１４をピックアップアセンブリ駆動用モータで外周方向に送り（Ｓ１４）、スイッチＳＷ１がオフとなる位置まで移動したか否かを確認し（Ｓ１５）、オフ位置ならばステップＳ１６に進みオフ位置でなければ再度ステップＳ１５を繰り返す。次いで、ステップＳ１６で現オフ位置になったところでモータを停止させる。
【００１２】
また、電源キースイッチオン入力したとき、ステップＳ１２で現在がパワーオフでなければ（すなわち、現在が電源オンならば）、パワーオフ状態をメモリに記憶し（Ｓ１７）、スイッチＳＷ１がオン状態にあるか否かを確認し（Ｓ１８）、オン状態ならばピックアップ１４をモータで外周方向に送り（Ｓ１９）、オン状態でなければ後述するステップＳ２１に進む。次いで、スイッチＳＷ１のオフ位置まで移動したか否かを確認し（Ｓ２０）、オフ位置ならばステップＳ２１に進みオフ位置でなければ再度ステップＳ２０を繰り返す。ステップＳ２１で、ピックアップ１４をモータで逆方向すなわち内周方向に送り、次いで、スイッチＳＷ１がオンしたか否かを確認し（Ｓ２２）、オンであればステップ１６に進みオンでなければ再度ステップＳ２２を繰り返す。次いで、ステップ１６でピックアップアセンブリ駆動用モータを停止させる。
すなわち、電源供給状態で再生装置が動作停止している時にパワーオフしたときはスイッチＳＷ１はオンになっており、パワーオンの状態ではスイッチＳＷ１はオフになっている。
上記の動作終了後は、電源供給が遮断されても、電源再投入時にピックアップの位置を、図３のフローチャート例のようにスイッチＳＷ１の状態を検出することで電源遮断前と同じ状態にして、再生装置を立ち上げることができる。
【００１３】
次に、図５は、再生装置の再生と停止動作時の処理（ピックアップ位置イニシャライズ処理）を示し、（Ａ）は電源供給中の停止→再生時のピックアップ動作、（Ｂ）は電源供給中の再生→停止時のピックアップ動作である。
（Ａ）は、現在の停止状態から再生指示したときにＣＤディスクのＴＯＣ情報を読み取るためにピックアップを最内周まで移動させる処理である。
すなわち、停止中に再生キースイッチ入力により再生が指示されると、まずスイッチＳＷ１がオン状態にあるか否かを確認され（Ｓ３１）、オン状態ならばピックアップ１４をモータで外周方向に送り（Ｓ３２）、オン状態でなければ後述するステップＳ３４に進む。次いで、スイッチＳＷ１のオフ位置まで移動したか否かを確認し（Ｓ３３）、オフ位置ならばステップＳ３４に進みオフ位置でなければ再度ステップＳ３３を繰り返す。ステップＳ３４で、ピックアップ１４をモータで逆方向すなわち内周方向に送り、次いで、スイッチＳＷ１がオンしたか否かを確認し（Ｓ３５）、オンであればステップ３６に進みオンでなければ再度ステップＳ３５を繰り返す。次いで、ステップ１６でピックアップアセンブリ駆動用モータを停止させる。その後、再生動作が開始される。
なお、ステップＳ３２乃至Ｓ３５はピックアップ１４の位置の再確認のための動作処理である。
【００１４】
次に、（Ｂ）は、現在の再生状態から停止指示による停止後に、現在のパワーオン／オフ状態別のピックアップの移動処理であり、パワーオン状態での停止ならばピックアップをスイッチＳＷ１のオフ位置へ移動させ、パワーオフ状態での停止（再生中にパワーオフした場合）ならばピックアップをスイッチＳＷ１のオン位置へ移動させて停止させるものである。
すなわち、再生動作中に停止キースイッチ入力により停止が指示されると、まずスイッチＳＷ１がオフ状態にあるか否かを確認され（Ｓ４１）、オフ状態であればステップＳ４２に進みオフ状態でなければ後述のステップＳ４４に進む。ステップＳ４１でオフ状態が確認されると、ピックアップ１４をモータで内周方向に送り（Ｓ４２）、次いでスイッチＳＷ１のオン位置まで移動したか否かを確認し（Ｓ４３）、オン位置ならばステップＳ４４に進みオン位置でなければ再度ステップＳ４３を繰り返す。次いで、ステップＳ４４で、現在パワーオン状態か否かを確認し、パワーオン状態であればステップＳ４５に進みそうでなければ後述のステップＳ４７に進む。ステップ４５では、ピックアップ１４をモータで外周方向に送り、次いで、スイッチＳＷ１がオフしたか否かを確認し（Ｓ４６）、オフであればステップ４７に進みオフでなければ再度ステップＳ４６を繰り返す。次いで、ステップ４７でピックアップアセンブリ駆動用モータを停止させる。
【００１５】
すなわち、パワーオンの状態で再生→停止ではスイッチＳＷ１はオフであり、パワーオフ状態での停止（再生中にパワーオフした場合）ではスイッチＳＷ１はオンになる。上記動作終了後は、電源が遮断されても電源再投入時には図３のフローチャートよりスイッチＳＷ１の状態を検出することで電源遮断前と同じ状態にして再生装置を立ち上げることができる。
上記の動作上で、一度ピックアップ１４をスイッチＳＷ１オン位置まで移動させる理由は、なるべくスイッチＳＷ１のオン位置に近い位置でピックアップ１４を停止させるためである。
再生中ピックアップアセンブリ１３は外周方向へ移動しているので、再生中に電源供給が遮断された時は、スイッチＳＷ１はオフ状態である。従って、電源再投入時は図３のフローチャートより、パワーオン状態で立ち上がる。
【００１６】
本発明の実施例の記録媒体再生装置によれば、バックアップ機能を有する装置では特殊なバックアップ回路等を用いずとも、既存の構成要素を利用してバックアップ機能をもたせることがことができ、回路上のコストを下げることができる。
【００１７】
以上、本発明の一実施例について説明したが、本発明はこれに限らず種々の変形が可能である。例えば、ピックアップアセンブリのスイッチＳＷ１のオン→オフ動作は、タイマーによりオフ位置を検出する方法もある。スイッチＳＷ１がオフになる時間で管理する。
また、上記に説明した位置検出用のスイッチに代えて、ＣＤメカ等に必要不可欠なスイッチ、例えばチェンジャタイプのＣＤの場合であれば再生メカ部によるホームポジションスイッチ、ピックアップ、ターンテーブル等が含まれるトラバースユニットの所定位置検出スイッチ等、を本発明に利用できる。また、スイッチ１つだけでなく複数のスイッチの組み合わせでも良い。
さらに、パワーオン／オフ状態以外の事象を判別させてもよい。
【００１８】
本発明に係る記録媒体再生装置および記録媒体再生装置のパワーオン／オフ状態判別方法によれば、特殊なバックアップ回路等を用いずとも、バックアップ機能をもたせることができ、回路上のコストを下げることができる。
【図面の簡単な説明】
【図１】本発明に係る記録媒体再生装置の一実施例のブロック図である。
【図２】図１におけるＣＤメカの具体的構成の概略図である。
【図３】本発明を実施する際のマイコンによるピックアップ位置制御の動作を説明するフローチャート例であり、マイコンリセット処理のフローチャートを示す。
【図４】本発明を実施する際のマイコンによるピックアップ位置制御の動作を説明するフローチャートの例であり、電源供給状態で再生装置が動作停止している時電源キースイッチ入力によりパワーオン／オフした場合のピックアップの位置制御処理のフローチャートを示す。
【図５】本発明を実施する際のマイコンによるピックアップ位置制御の動作を説明するフローチャートの例であり、再生装置の再生と停止動作時の処理（ピックアップ位置イニシャライズ処理）を示す。
【図６】従来のＣＤディスク再生装置の一例のブロック図である。
【符号の説明】
１      ＣＤメカ
２      ＣＤ制御回路
３      マイクロコンピュータ
１１    ディスクターンテーブル
１２    ガイドレール
１３    ピックアップアセンブリ
１４    光ピックアップ
ＳＷ１  ピックアップ位置検出用スイッチ
【図１】
0003630843.tif 000002
【図２】
0003630843.tif 000003
【図３】
0003630843.tif 000004
【図４】
0003630843.tif 000005
【図５】
0003630843.tif 000006
【図６】
0003630843.tif 000007